(57)【特許請求の範囲】
【請求項１】
幼児を支持するサポート本体と、ユーザの左右の肩回りに沿うように延ばされ、かつ両端部が前記サポート本体と結合される一対の肩ベルトと、前記ユーザの背側にて前記一対の肩ベルトを互いに連結する背側連結具とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態で収容することが可能とされた子守帯であって、
前記一対の肩ベルトと前記背側連結具との間には背受け部が設けられ、前記背受け部は前記一対の肩ベルトと結合される一端部と前記背側連結具との間にて、前記ユーザへの装着時における上下方向に関して前記背側連結具よりも拡張されている子守帯。
【請求項２】
前記肩ベルトは、前記ユーザの背側で前記上下方向に沿って略平行に延びるように設けられ、前記背受け部は、前記肩ベルトと結合される前記一端部から前記子守帯の左右方向内側に向かって延ばされ、他端部に前記背側連結具が取り付けられている請求項１に記載の子守帯。
【請求項３】
幼児を支持するサポート本体と、ユーザの左右の肩回りに沿うように延ばされ、かつ両端部が前記サポート本体と結合される一対の肩ベルトと、前記ユーザの背側にて前記一対の肩ベルトを互いに連結する背側連結具とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態で収容することが可能とされた子守帯であって、
前記一対の肩ベルトと前記背側連結具との間には、前記ユーザへの装着時における上下方向に関して前記背側連結具よりも拡張された背受け部が設けられ、
前記サポート本体には、前記ユーザとの間に前記幼児を前記たて抱っこ状態で収容するためのスペースが生じるようにして前記ユーザの前方に配置可能なセンターサポート部と、前記センターサポート部の左右方向両側から前記幼児の側方に回り込むように延ばされて上端部が前記肩ベルトと結合される一対のサイドサポート部とが設けられ、前記センターサポート部の前記ユーザと対向する側には、前記幼児を前記たて抱っこ状態で収容するためのスペースを介して前記センターサポート部と対向するホールドカバーが設けられ、前記センターサポート部と前記ホールドカバーとの下端部が一体的に結合され、前記ホールドカバーの上端部には左右方向に延びるトップベルト部が設けられ、該トップベルト部の左右方向の両端部は前記サイドサポート部に結合され、該トップベルト部の少なくともいずれか一方の端部はホールドカバー連結具を介して前記サイドサポート部から分離可能な状態で前記サイドサポート部に連結され、かつ、前記トップベルト部よりも下方の領域では、前記ホールドカバーの側部が前記サイドサポート部に対して分離されている子守帯。
【請求項４】
前記センターサポート部と前記ホールドカバーとの間には、前記ホールドカバーとの間で幼児の臀部の周囲を支持する落下防止カバーが設けられ、該落下防止カバーの下端部はセンターサポート部及び前記ホールドカバーと一体に結合され、前記落下防止カバーの左右方向の端部は前記サイドサポート部に結合されている請求項３に記載の子守帯。
【請求項５】
前記落下防止カバーの上端は、前記センターサポート部及び前記ホールドカバーのそれぞれの上端よりも低い位置にある請求項４に記載の子守帯。
【請求項６】
前記ホールドカバー連結具と同一の側に配置されるサイドサポート部と前記センターサポート部との間には、前記センターサポート部と前記サイドサポート部との結合部分を該結合部分の上端から下方に向かって切り開くように延びるスリットが設けられるとともに、前記スリットを閉じるようにして前記センターサポート部と前記サイドサポート部とを連結するサイド連結具が設けられている請求項３〜５のいずれか一項に記載の子守帯。
【請求項７】
幼児を支持するサポート本体と、ユーザの左右の肩回りに沿うように延ばされ、かつ両端部が前記サポート本体と結合される一対の肩ベルトと、前記ユーザの背側にて前記一対の肩ベルトを互いに連結する背側連結具とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態で収容することが可能とされた子守帯であって、
前記一対の肩ベルトと前記背側連結具との間には、前記ユーザへの装着時における上下方向に関して前記背側連結具よりも拡張された背受け部が設けられ、
前記肩ベルトは、前記ユーザの背側で前記上下方向に沿って略平行に延びるように設けられ、前記背受け部は、前記肩ベルトと結合される前記一端部から前記子守帯の左右方向内側に向かって延ばされ、他端部に前記背側連結具が取り付けられ、
前記サポート本体の下部にはユーザの腰部に装着される腰パッドが連結され、
前記サポート本体には前記幼児をたて前向き抱っこ状態で収容することが可能であり、
前記サポート本体と前記腰パッドとの連結部分には、当該左右方向の中央部にて前記サポート本体と前記腰パッドとを連結する中央連結具と、前記中央連結具に対する左右方向両側で前記サポート本体と前記腰パッドとを連結する側方連結具とが設けられ、前記側方連結具は連結及び分離が可能であり、前記側方連結具が分離された場合には前記たて前向き抱っこ状態で収容された幼児の両足を繰り出すための隙間が生じる子守帯。
【請求項８】
前記腰パッドには、前記側方連結具を取り付けるための上方に突出した連結部が設けられ、前記側方連結具を分離した状態で、前記連結部は前記腰パッドの下方に折り返し可能とされた請求項７に記載の子守帯。
【発明の詳細な説明】
【技術分野】
【０００１】
本発明は、幼児をたて抱っこ形態で支持することが可能な子守帯に関する。
【背景技術】
【０００２】
幼児をたて抱っこ形態で支持する子守帯としては、幼児を支持するためめのサポート本体に一対の肩ベルトが結合され、それらの肩ベルトをユーザの左右の肩回りに装着して支持する構成の子守帯が一般的である。ユーザの背側で肩ベルトを相互に連結し、それにより肩ベルトの位置の安定化等を図った子守帯も提供されている（例えば特許文献１参照）。
【先行技術文献】
【特許文献】
【０００３】
【特許文献１】特開２００７−２６８０７３号公報
【発明の概要】
【発明が解決しようとする課題】
【０００４】
従来の子守帯は、幼児の荷重が左右の肩ベルトを伝ってユーザに肩に集中的に作用し、ユーザの肩回りの疲労感を高めるおそれがある。左右の肩ベルトをバックル等の連結具で相互に連結してもその傾向はあまり変わらない。そこで、本発明は、肩ベルトに伝わる荷重をユーザの背側に分散させることが可能な子守帯を提供することをその目的の一つとする。
【課題を解決するための手段】
【０００５】
本発明の一態様に係る子守帯（１）は、幼児（３）を支持するサポート本体（５）と、ユーザ（２）の左右の肩回りに沿うように延ばされ、かつ両端部が前記サポート本体と結合される一対の肩ベルト（２０）と、前記ユーザの背側にて前記一対の肩ベルトを互いに連結する背側連結具（３２）とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態（図１（ａ）、（ｂ））で収容することが可能とされた子守帯（１）であって、前記一対の肩ベルトと前記背側連結具との間には背受け部（３１、３１Ａ、６１）が設けられ、前記背受け部は前記一対の肩ベルトと結合される一端部と前記背側連結具との間にて、前記ユーザへの装着時における上下方向に関して前記背側連結具よりも拡張されたものである。
【０００６】
本発明の子守帯によれば、肩ベルトをユーザの背側で連結したとき、肩ベルトに伝わる荷重が背受け部にも分散される。背受け部は、背側連結具よりも上下方向に拡張されているので、背側連結具と同程度、又はそれ未満の幅が小さいベルト等の連結部材にて肩ベルト同士を連結する場合と比較して、ユーザの背側における荷重を受ける部分の面積を拡大することができる。これにより、背側における荷重の分散を図り、ユーザの肩への荷重の集中を緩和してユーザの負担を軽減することができる。
【０００７】
本発明の一形態において、前記肩ベルトは、前記ユーザの背側で前記上下方向に沿って略平行に延びるように設けられ、前記背受け部は、前記肩ベルトと結合される前記一端部から前記子守帯の左右方向内側に向かって延ばされ、他端部に前記背側連結具が取り付けられてもよい。この形態によれば、背受け部がその一端部において肩ベルトと結合され、その背受け部に背側連結具が装着されているので、肩ベルトに伝わる荷重を背受け部に確実に分散させてユーザの肩の負担を軽減することができる。
【０００８】
本発明の他の態様に係る子守帯（１）は、幼児（３）を支持するサポート本体（５）と、ユーザ（２）の左右の肩回りに沿うように延ばされ、かつ両端部が前記サポート本体と結合される一対の肩ベルト（２０）と、前記ユーザの背側にて前記一対の肩ベルトを互いに連結する背側連結具（３２）とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態（図１（ａ）、（ｂ））で収容することが可能とされた子守帯（１）であって、前記一対の肩ベルトと前記背側連結具との間には、前記ユーザへの装着時における上下方向に関して前記背側連結具よりも拡張された背受け部（３１、３１Ａ、６１）が設けられ、前記サポート本体には、前記ユーザとの間に前記幼児を前記たて抱っこ状態で収容するためのスペースが生じるようにして前記ユーザの前方に配置可能なセンターサポート部（１０）と、前記センターサポート部の左右方向両側から前記幼児の側方に回り込むように延ばされて上端部が前記肩ベルトと結合される一対のサイドサポート部（１２Ａ、１２Ｂ）とが設けられ、前記センターサポート部の前記ユーザと対向する側には、前記幼児を前記たて抱っこ状態で収容するためのスペースを介して前記センターサポート部と対向するホールドカバー（４０）が設けられ、前記センターサポート部と前記ホールドカバーとの下端部が一体的に結合され、前記ホールドカバーの上端部には左右方向に延びるトップベルト部（４０ａ）が設けられ、該トップベルト部の左右方向の両端部は前記サイドサポート部に結合され、該トップベルト部の少なくともいずれか一方の端部はホールドカバー連結具（４６）を介して前記サイドサポート部から分離可能な状態で前記サイドサポート部（１２Ｂ）に連結され、かつ、前記トップベルト部よりも下方の領域では、前記ホールドカバーの側部が前記サイドサポート部に対して分離されたものである。
【０００９】
上記態様の子守帯においては、ホールドカバー連結具を外してホールドカバーのトップベルト部の一方の端部をサイドサポート部から分離し、トップベルト部の他方の端部はサイドサポート部と結合しておくことにより、センターサポート部及び一方のサイドサポート部をホールドカバーから離れる方向に開いてサポート本体の収容スペースを拡大し、幼児を出し入れする便宜を図ることができる。サイドサポート部が離された状態でも、ホールドカバー部とセンターサポート部との下端部が一体に結合されているので、それらの間で幼児の臀部の周囲を下方から支持し、それにより幼児の落下を防止することができる。幼児を収容した後、トップベルト部の端部をホールドカバー連結具にてサイドサポート部と連結するだけでホールドカバーとセンターサポート部との間のスペースに収容された幼児をセンターサポート部と一対のサイドサポート部で覆うように支持することができる。
【００１０】
上記の形態において、さらに、前記センターサポート部と前記ホールドカバーとの間には、前記ホールドカバーとの間で幼児の臀部の周囲を支持する落下防止カバー（４１）が設けられ、該落下防止カバーの下端部はセンターサポート部及び前記ホールドカバーと一体に結合され、前記落下防止カバーの左右方向の端部は前記サイドサポート部に結合されてもよい。これによれば、一方のサイドサポート部を開いたときに、落下防止カバーとホールドカバーとの間に幼児の臀部回りを収容して幼児を支持することができるので、幼児の落下防止効果がさらに高まる。さらに、前記落下防止カバーの上端（４１ａ）を、前記センターサポート部及び前記ホールドカバーよりも低い位置とした場合には、センターサポート部を前方に大きく開いても、落下防止カバーの上端がホールドカバーに対して前方に大きく離れることがない。それにより、落下防止カバーによる落下防止効果をより確実に発揮させることが可能である。
【００１１】
前記ホールドカバー連結具（４６）と同一の側に配置されるサイドサポート部（１２Ｂ）と前記センターサポート部との間には、前記センターサポート部と前記サイドサポート部との結合部分を該結合部分の上端から下方に向かって切り開くように延びるスリット（１６）が設けられるとともに、前記スリットを閉じるようにして前記センターサポート部と前記サイドサポート部とを連結するサイド連結具（１５）が設けられてもよい。この形態によれば、ホールドカバー連結具を外して一方のサイドサポート部をホールドカバーから前方に開くとき、サイド連結具による連結も解除することによりスリットが開いてサイドサポート部の側方に大きな開口を生じさせることができる。その開口を通じて幼児を出し入れすることができるので、幼児を上方に大きく持ち上げる操作は不要である。それにより、幼児の出し入れを円滑かつ容易に行えるようになる。
【００１２】
本発明のさらに他の態様に係る子守帯（１）は、幼児（３）を支持するサポート本体（５）と、ユーザ（２）の左右の肩回りに沿うように延ばされ、かつ両端部が前記サポート本体と結合される一対の肩ベルト（２０）と、前記ユーザの背側にて前記一対の肩ベルトを互いに連結する背側連結具（３２）とを備え、前記サポート本体を前記ユーザの前側に配置した状態で前記肩ベルトを前記ユーザの左右の肩回りにそれぞれ装着することにより、前記ユーザの前側にて前記サポート本体内に前記幼児をたて抱っこ状態（図１（ａ）、（ｂ））で収容することが可能とされた子守帯（１）であって、前記一対の肩ベルトと前記背側連結具との間には、前記ユーザへの装着時における上下方向に関して前記背側連結具よりも拡張された背受け部（３１、３１Ａ、６１）が設けられ、前記肩ベルトは、前記ユーザの背側で前記上下方向に沿って略平行に延びるように設けられ、前記背受け部は、前記肩ベルトと結合される一端部から前記子守帯の左右方向内側に向かって延ばされ、他端部に前記背側連結具が取り付けられ、前記サポート本体の下部にはユーザの腰部に装着される腰パッド（６）が連結され、前記サポート本体には前記幼児をたて前向き抱っこ状態（図１（ｂ））で収容することが可能であり、前記サポート本体と前記腰パッドとの連結部分には、当該左右方向の中央部にて前記サポート本体と前記腰パッドとを連結する中央連結具（５５）と、前記中央連結具に対する左右方向両側で前記サポート本体と前記腰パッドとを連結する側方連結具（５６）とが設けられ、前記側方連結具は連結及び分離が可能であり、前記側方連結具が分離された場合には前記たて前向き抱っこ状態で収容された幼児の両足を繰り出すための隙間（Ｓ２）が生じるようにしてもよい。この態様に係る子守帯によれば、幼児をたて前向き抱っこ状態で収容する場合、サポート本体と腰パッドとの間の隙間を介して幼児の両足を腰パッドの前方に繰り出すことができる。そのため、たて前向き抱っこ状態で幼児を支持する際に幼児に不自然な姿勢を強いるおそれがない。一方、たて対面抱っこ状態で幼児を支持する場合には、中央連結具及び側方連結具を利用してサポート本体と腰パッドとをより広い範囲で相互に連結し、それにより、サポート本体と腰パッドとの一体性を高めることができる。
【００１３】
さらに、前記腰パッドには、前記側方連結具を取り付けるための上方に突出した連結部（５０ｃ）が設けられ、前記側方連結具を分離した状態で、前記連結部は前記腰パッドの下方に折り返し可能とされてもよい。これによれば、側方連結部を分離して連結部を下方に折り返すことにより、サポート本体と腰パッドとの間の隙間を拡大し、それにより幼児の両足を通すに十分な大きさの隙間を確保することができる。
【００１４】
なお、以上の説明では本発明の理解を容易にするために添付図面の参照符号を括弧書きにて付記したが、それにより本発明が図示の形態に限定されるものではない。
【発明の効果】
【００１５】
以上に説明したように、本発明の子守帯によれば、一対の肩ベルトと背側連結具との間において、背側連結具よりも上下方向に拡張された背受け部が設けられているので、ユーザの背側における荷重を受ける部分の面積を拡大することができる。これにより、背側における荷重の分散を図り、ユーザの肩への荷重の集中を緩和してユーザの負担を軽減することができる。
【図面の簡単な説明】
【００１６】
【図１】本発明の一形態に係る子守帯の使用形態を示す図。
【図２】本発明の一形態に係る子守帯の正面図。
【図３】子守帯に設けられたサポート本体の正面図。
【図４】サポート本体の裏面図。
【図５】サイドファスナを閉じた状態を示す図。
【図６】サイドファスナをフラップで覆う様子を示す図。
【図７】ヘッドサポートベルトと肩ベルトとの連結部分の構成を示す図。
【図８】一方の肩ベルトに設けられたポケットの周囲を拡大して示す図。
【図９】他方の肩ベルトに設けられたポケットの周囲を拡大して示す図。
【図１０】センターサポート部に対するホールドカバー等の接合部分の拡大図。ポ
【図１１】図１０のXI−XI線に沿った断面図。
【図１２】図１０のXII−XII線に沿った断面図。
【図１３】ホールドカバーに対してセンターサポート部を開いて落下防止カバーを露出させた状態を示す図。
【図１４】子守帯に設けられた腰パッドの正面図。
【図１５】サポート本体と腰パッドとの連結部分を分離状態にて示す図。
【図１６】サポート本体と腰パッドとの連結部分の部分拡大図。
【図１７】たて抱っこ形態での使用に備えて子守帯を組み立てた状態を示す図。
【図１８】腰パッドをユーザに装着する様子を示す図。
【図１９】背側バックルを噛み合わせた状態で子守帯をユーザに装着する様子を示す図。
【図２０】子守帯を装着したユーザをその背側から見た状態を示す図。
【図２１】たて対面抱っこ形態にて幼児を収容する際の手順を示す図。
【図２２】図２１に続く手順を示す図。
【図２３】ホールドカバーの両側に幼児の両足を通す様子を示す図。
【図２４】図２２に続く手順を示す図。
【図２５】図２４に続く手順を示す図。
【図２６】たて前向き抱っこ形態での使用に備えてサポート本体と腰パッドとを連結する手順を示す図。
【図２７】図２６に続く手順を示す図。
【図２８】たて前向き抱っこ形態にて幼児を収容する際の手順を示す図。
【図２９】図２８に続く手順を示す図。
【図３０】図２９に続く手順を示す図。
【図３１】図３０に続く手順を示す図。
【図３２】子守帯をユーザに装着する前の段階で、幼児をたて対面抱っこ形態にて子守帯に収容した状態を示す図。
【図３３】背受け部の変形例を示す図。
【図３４】背受け部のさらなる変形例を示す図。
【発明を実施するための形態】
【００１７】
以下、添付図面を参照して本発明の一形態に係る子守帯を説明する。図１に示すように、本形態の子守帯１は、成人のユーザ２が、幼児３を対面状態で抱っこするたて対面抱っこ形態（同図（ａ）の形態）と、幼児３を前向きの状態で抱っこするたて前向き抱っこ形態（同図（ｂ）の形態）と、幼児３をよこ向きの姿勢で抱っこするよこ抱っこ形態（同図（ｃ）の形態）と、幼児３をおんぶするおんぶ形態（同図（ｄ）の形態）の四つの形態から一つの形態を選択して使用することが可能である。以下では、たて対面抱っこ形態、又はたて前向き抱っこ形態にて使用する場合を基準として子守帯１を説明する。よこ抱っこ形態では、よこ抱っこシート４が追加的に使用されるが、その詳細は本発明の要旨外なので説明を省略する。なお、以下の説明では、たて対面抱っこ形態、及びたて前向き抱っこ形態を、たて抱っこ形態と総称することがある。
【００１８】
図２は、子守帯１の全体構成を示す正面図である。子守帯１は、サポート本体５と腰パッド６とを備えている。サポート本体５と腰パッド６とは相互に結合及び分離が可能である。サポート本体５は、複数枚の生地を縫い合わせて構成された基本構造を有し、幼児３の臀部から頭部までの範囲を覆うことが可能な大きさに形成された部品である。腰パッド６は、ユーザ２の腰回りに装着されて子守帯１の荷重を腰回りに分散させるための部品である。
【００１９】
図３はサポート本体５の正面図、図４はその裏面図である。これらの図に示すように、サポート本体５にはセンターサポート部１０が設けられている。センターサポート部１０は、たて対面抱っこ形態において幼児３を背側から支持し、たて前向き抱っこ形態で幼児３を前側から支持する部分であって、一枚のシート状に形成されている。センターサポート部１０の左右方向の両側には、幼児３を両側から支持するためのサイドサポート部１２Ａ、１２Ｂが設けられている。なお、以下の説明において、サイドサポート部１２Ａ、１２Ｂを特に区別する必要がないときはサイドサポート部１２と表記する。
【００２０】
サイドサポート部１２Ａ、１２Ｂの上部とセンターサポート部１０との間には切れ込み部１４が設けられている。図３及び図４において左側に位置するサイドサポート部１２Ａは、センターサポート部１０に一体に結合された一枚のカバー状に形成されている。これに対して、図３から明らかなように、右側に位置するサイドサポート部１２Ｂは、その下部がセンターサポート部１０と一体に結合されるように設けられる一方で、その上部はサイドファスナ１５を介してセンターサポート部１０と連結されている。サイドファスナ１５は、センターサポート部１０とサイドサポート部１２Ｂとの結合位置の上端から下方に延びるように設けられている。そのため、サイドファスナ１５を開いた場合、センターサポート部１０とサイドサポート部１２Ｂとの間には、センターサポート部１０とサイドサポート部１２Ｂとの結合部分をその上端から当該結合部分の下方に向かって切り開くようにしてスリット１６が出現する。それにより、センターサポート部１０とサイドサポート１２Ｂとの間には、上下方向に沿った比較的長い開口部が生じる。図５に示すようにサイドファスナ１５を閉じた場合には、サイドサポート部１２Ｂがセンターサポート部１０と連続する。それにより、サイドサポート部１２Ａと同様に一枚のカバー状の支持部材としてサイドサポート部１２Ｂが機能する。なお、センターサポート部１０とサイドサポート部１２Ｂとの境界部分にはフラップ１７が設けられている。フラップ１７はセンターサポート部１０と一体に接合されている。フラップ１７とサイドサポート部１２Ｂとのそれぞれには一対のホック１８が設けられている。図６に矢印で示すように、サイドファスナ１５上にフラップ１７を被せてホック１８で止めることにより、サイドファスナ１５を覆い隠すことができる。
【００２１】
図３及び図４に示すように、サイドサポート部１２の上端には、左右一対の肩ベルト２０のそれぞれの上端部２０ａが分離不能な状態で接合されている。サイドサポート部１２の上部はセンターサポート部１０に対して切り込み部１４により分離されているので、それらの上部は肩ベルト２０の一部（基部）として実質的に機能することができる。センターサポート部１０の上方には、幼児３を頭部を支えるためのヘッドサポート部２１が一体的に設けられている。ヘッドサポート部２１は、センターサポート部１０に対して曲げ線２１ａに沿って折り返し可能である。ヘッドサポート部２１の両端部には、ヘッドサポートベルト２２（図２参照）の一端部２２ａが分離不能に接合されている。各ヘッドサポートベルト２２は、肩ベルト２０とヘッドサポート部２１とを相互に連結するために設けられている。
【００２２】
図７に示すように、ヘッドサポートベルト２２の他端部２２ｂは、ヘッドサポートバックル２３を介して肩ベルト２０と連結可能である。ヘッドサポートバックル２３は、ヘッドサポートベルト２２に固定される雄バックル部２３Ａと、肩ベルト２０に固定される雌バックル部２３Ｂとを備えている。バックル部２３Ａ、２３Ｂを噛み合わせることによりヘッドサポート部２１と肩ベルト２０とが相互に連結され、バックル部２３Ａ、２３Ｂを分離することにより、ヘッドサポート部２１と肩ベルト２０との連結を解除することができる。各ヘッドサポートベルト２２の外周にはヘッドサポートカバー２４が設けられる。ヘッドサポートカバー２４は、二組のホック２５Ａ、２５Ｂを相互に嵌め合わせることにより、ヘッドサポートバックル２３を覆い隠すようにしてヘッドサポートベルト２２の外周に取り付け可能である。
【００２３】
各肩ベルト２０の下部には、脇ベルト２６が長さ調整手段としてのラダーロック２７を介して取り付けられている。脇ベルト２６の先端には、脇ベルトバックル２８の雌バックル部２８Ａが取り付けられている。ラダーロック２７から雌バックル部２８Ａまでの部分が脇ベルト２６の有効長であり、その有効長はラダーロック２７に対する脇ベルト２６の取付位置を調整することにより増減可能である。なお、ラダーロック２７からは脇ベルト２６の余長部分が垂れ下がっており、その先端には脇ベルト２６を不使用時に束ねるためのゴム製のベルト止めバンド２９が取り付けられている。図３に示すように、サイドサポート部１２の内部には、脇ベルトバックル２８の雄バックル部２８Ｂが設けられている。サイドサポート部１２の外周には、雄バックル部２８Ｂにアクセスするための開口部（不図示）が形成されている。脇ベルト２６の先端の雌バックル部２８Ａは、それらの開口部を介してサイドサポート部１２の内部に挿入されて雄バックル部２８Ｂと噛み合わされる。
【００２４】
図４に示すように、各肩ベルト２０には、子守帯１の左右方向内側、言い換えれば反対側の肩ベルト２０と対向する側に開口するポケット３０が設けられている。図８及び図９に示すように、ポケット３０の開口端縁には、背受け部３１を介して背側バックル（背側連結具）３２の雌バックル部３２Ａ又は雄バックル部３２Ｂが取り付けられている。バックル部３２Ａ、３２Ｂを相互に噛み合わせることにより、左右の肩ベルト２０を相互に連結することが可能である。背受け部３１は、その一端部がポケット３０の開口端縁にて肩ベルト２０と接合され、かつその接合部分から子守帯１の左右方向内側に向かって延ばされ、その他端部にバックル部３２Ａ又は３２Ｂが取り付けられている。背受け部３１はバックル部３２Ａ、３２Ｂよりも上下方向に拡張されている。すなわち、背受け部３１は、その先端部がバックル部３２Ａ、３２Ｂと同程度の寸法に形成され、かつ、先端部から肩ベルト２０への接合部に向かうに従って上下方向に漸次拡大する形状を有している（図２０も参照）。背受け部３１は、サポート本体５や肩ベルト２０に使用される布製の生地にて形成されてよい。メッシュ素材が背受け部３１の素材として好適に利用される。
【００２５】
図８に示すように、一方の肩ベルト２０のポケット３０にはフロントベルト３３が収納されている。フロントベルト３３はポケット３０の内部で肩ベルト２０と接合されている。フロントベルト３３の先端部には、フロントバックル３４の雄バックル部３４Ａが取り付けられている。一方、図９に示すように、他方の肩ベルト２０のポケット３０の内部には、フロントバックル３４の雌バックル部３４Ｂが取り付けられている。雌バックル部３４Ｂは雄バックル部３４Ａと噛み合い可能である。それらのバックル部３４Ａ、３４Ｂを噛み合わせることによっても肩ベルト２０同士を連結することができる。なお、背側バックル３２のバックル部３２Ａ、３２Ｂ、及びフロントバックル３４のバックル部３４Ａ、３４Ｂはポケット３０内に収納可能である。図８に示すように、一方の肩ベルト２０のポケット３０には、雌バックル部３２Ａをポケット３０内に拘束するためのゴム製のバックル止めバンド３５と、フロントベルト３３及び雄バックル部３４Ａを収納するためのフロントベルトポケット３６とが設けられている。また、図９に示すように、他方の肩ベルト２０のポケット３０には、雌バックル部３４Ｂを収納するフロントバックルポケット３７が設けられている。背側バックル３２の雄バックル部３２Ｂは、フロントバックル３４の雌バックル部３４Ｂ及びフロントバックルポケット３７とポケット３０の内面との間の隙間に差し込むことが可能である。
【００２６】
図４に示すように、サポート本体５の裏面側にはホールドカバー４０及び落下防止カバー４１が設けられている。ホールドカバー４０は、センターサポート部１０と対向する一枚のシート状の支持部材として構成され、その下端部がセンターサポート部１０の下端部に接合されている。センターサポート部１０とホールドカバー４０との間のスペースが、たて抱っこ形態にて幼児３を収容するスペースとなる。なお、図４ではホールドカバー４０の左右方向における片側を捩って、落下防止カバー４１を部分的に露出させた状態を示している。ホールドカバー４０は、たて対面だっこ形態にて幼児３の股下から胸部を覆い、たて前向き抱っこ形態にて幼児３の臀部から背部にかけての部分を覆う支持部材として設けられている。落下防止カバー４１は、センターサポート部１０とホールドカバー４０との間に配置され、幼児３の臀部を覆うシート状の支持部材として構成されている。落下防止カバー４１もその下端部がセンターサポート部１０の下端部に接合されている。
【００２７】
図１０は、センターサポート部１０に対するホールドカバー４０等の接合部分の拡大図、図１１はその接合部分の図１０におけるXI−XI線に沿った断面図、図１２は接合部分の図１０におけるXII−XII線に沿った断面図である。図１１から明らかなように、サイドサポート部１２Ａ、１２Ｂのそれぞれは、表側シート１２ａ及び裏側シート１２ｂを重ね合わせた構成を有している。落下防止カバー４１は、その左右方向の両端部（図１１の左右方向における端部）においてシート１２ａ、１２ｂの間に挟み込まれ、シート１２ａ、１２ｂと縫製位置ＳＰ１にて一体に縫い合わされている。それにより、落下防止カバー４１の左右方向の端部はサイドサポート部１２Ａ、１２Ｂと一体に接合されている。
【００２８】
また、図１２から明らかなように、ホールドカバー４０及び落下防止カバー４１の下端部は、センターサポート部１０の下端部とホールドカバー４０の下端部との間に落下防止カバー４１の下端部が挟まれるようにして互いに重ね合わされ、縫製位置ＳＰ２にて一体に縫い合わされている。それにより、ホールドカバー４０及び落下防止カバー４１のそれぞれの下端部がセンターサポート部１０の下端部に接合される。センターサポート部１０とカバー４０、４１との接合位置には、エッジカバー４２が一体に縫い付けられている。エッジカバー４２は、カバー４０、４１の縫い合わせ部分を隠すようにセンターサポート部１０の裏面側（図１２において右側）まで折り返されてファスナカバー４３（図４も参照）と重ね合わされる。カバー４２、４３の重ね合わせ部分はエッジカバー４４にて覆われ、それらのカバー４２、４３、４４は縫製位置ＳＰ３にて一体に縫い合わされている。さらに、カバー４４、センターサポート部１０、落下防止カバー４１及びホールドカバー４０は、縫製位置ＳＰ４にて一体に縫い合わされて相互に接合されている。なお、ホールドカバー４０の上端部にはトップベルト部４０ａが袋状に折り返された状態で縫い付けられている。落下防止カバー４１の上端部には折り返し部４１ａが形成されて縫い付けられている。折り返し部４１ａは、センターサポート部１０及びトップベルト部４０ａのそれぞれの上端よりも低い位置にある。
【００２９】
図１３に示すように、ホールドカバー４０は、そのトップベルト部４０ａの一端部４０ｂにてサイドサポート部１２Ａと分離不能に接合されている。これに対してトップベルト部４０ａの他端部４０ｃはサイドサポート部１２Ｂに対して分離されている。したがって、ホールドカバー４０は、サイドサポート部１２Ｂの側を自由端として捩るように変形させることが可能である。そのようにホールドカバー４０を捩ることにより、幼児３の収容スペースをサイドサポート部１２Ｂの側に向かって開口させることができる。なお、ホールドカバー４０のトップベルト部４０ａよりも下方の領域において、ホールドカバー４０の両側部はサイドサポート部１２Ａ、１２Ｂに対して分離され、それらの間には隙間が設けられている。
【００３０】
落下防止カバー４１は、その両端部がサイドサポート部１２と接合され、下端部がセンターサポート部１０と接合されている。したがって、落下防止カバー４１はセンターサポート部１０に対して上方に開口するポケットのように付属する。ただし、サイドファスナ１５を開いてサイドサポート部１２Ｂを開いた場合には、落下防止カバー４１の一端部がサイドサポート部１２Ｂと一体的に移動するので、落下防止カバー４１によって形成されるポケットも側方に開口する。なお、図１３から明らかなように、ホールドカバー４０は、センターサポート部１０の接合部から上方に向かうに従って漸次左右方向に幅が拡大する形状を有し、その上端部のトップベルト部４０ａは左右方向に幾らか突出するように設けられている。また、図３及び図１３に示すように、落下防止カバー４１はメッシュ素材にて形成され、幾らかの伸縮性を有している。特に、落下防止カバー４１の上端の折り返し部４１ａは伸縮性に富む素材、一例としてゴム素材にて形成される。なお、図１０に部分的に示したが、センターサポート部１０もメッシュ素材にて形成される。
【００３１】
図４に戻って説明を続ける。ホールドカバー４０におけるトップベルト部４０ａは、その内部にホールドベルト４５を備えている。ホールドベルト４５の一端部はトップベルト部４０ａの内面側に接合され、他端部（先端部）にはホールドバックル４６の雄バックル部４６Ａが取り付けられている。雄バックル部４６Ａは、トップベルト部４０ａの端部４０ｃに向けられており、その端部４０ｃは雄バックル部４６Ａを露出させることができるように開口している。サイドサポート１２Ｂの裏面側には、ホールドバックル４６の雌バックル部４６Ｂが取り付けられている。バックル部４６Ａ、４６Ｂを噛み合わせることにより、ホールドカバー４０のトップベルト部４０ａの端部４０ｃをサイドサポート部１２Ｂと結合し、それにより肩ベルト２０をトップベルト部４０ａを介して相互に連結することができる。図４から明らかなように、ファスナカバー４３は、センターサポート部１０の下端部のみならず、サイドサポート部１２Ａ、１２Ｂの下端部にも同様に設けられている。中央のファスナカバー４３上の二箇所には、ファスナカバーホック４７Ａが取り付けられている。なお、サポート本体５の裏面側（図４に示す側）には、ヨコだっこシート取付用の面ファスナ４８が取り付けられている。
【００３２】
図１４は、腰パッド６の正面図である。腰パッド６は、上下方向に適度な幅を有するパッド本体５０と、そのパッド本体５０の一端部５０ａに固定された腰ベルト５１とを有している。腰ベルト５１には腰バックル５２の雄バックル部５２Ａが取り付けられ、パッド本体５０の他端部５０ｂには腰バックル５２の雌バックル部５２Ｂが取り付けられている。バックル部５２Ａ、５２Ｂを噛み合わせることにより、腰ベルト５１をパッド本体５０の端部５０ｂと連結して、腰パッド６の全体をループ状に繋ぎ合わせることができる。腰ベルト５１に対する雄バックル部５２Ａの取り付け位置は、腰ベルト５１の長手方向に調整可能である。パッド本体５０の端部５０ａから雄バックル部５２Ａの位置までが腰ベルト５１の有効長である。腰ベルト５１の雄バックル部５２Ａよりも先方に繰り出された余長部分は、雄バックル部５２Ａから折り返されて腰ベルト５１上のベルトホルダ５３に挟み込まれる。
【００３３】
パッド本体５０の中央上部には、センターファスナ５５の一方のファスナテープ５５Ａが左右方向に延びるようにして取り付けられている。ファスナテープ５５Ａの両側には、パッド本体５０の端部５０ａ、５０ｂに向かうに従って徐々に高さが増加する連結部５０ｃが設けられている。各連結部５０ｃの上部には、サイドファスナ５６の一方のファスナテープ５６Ａが取り付けられている。また、ファスナテープ５５Ａの下方の二箇所にはファスナカバーホック４７Ｂが取り付けられている。図１５に示すように、サポート本体５の下端縁部の形状は、パッド本体５０の上端縁部の形状と相補的に形成されている。図１６に示すように、サポート本体５の下縁部であって、ファスナカバー４３をめくり上げた位置には、センターファスナ５５の他方のファスナテープ５５Ｂと、サイドファスナ５６の他方のファスナテープ５６Ｂとが取り付けられている。センターファスナ５５のファスナテープ５５Ａ、５５Ｂを互いに噛み合わせることにより、センターサポート部１０の下部と腰パッド６の中央上部とが連結され、サイドファスナ５６のファスナテープ５６Ａ、５６Ｂを互いに噛み合わせることにより、サイドサポート部１２の下部と腰パッド６の左右の連結部５０ｃとが連結される。なお、図１６は一方のサイドサポート部１２Ｂのみを示すが、反対側のサイドサポート部１２Ａと腰パッド６との関係も同様である。さらに、パッド本体５０のファスナカバーホック４７Ｂは、ファスナカバー４３上のファスナカバーホック４７Ａと位置を合わせて設けられている。ファスナカバーホック４７Ａ、４７Ｂを嵌め合わせることにより、ファスナカバー４３を腰パッド６に連結することができる。
【００３４】
次に、たて抱っこ形態における子守帯１の使用手順を説明する。以下は、子守帯１をユーザ２に装着し、その後に幼児３を子守帯１に収容する手順である。図１７は、たて抱っこ形態における使用に備えて子守帯１が組み立てられた状態を示している。図１７の状態においては、まず、サポート本体５と腰パッド６とが連結される。たて対面抱っこ形態の場合には、センターファスナ５５及び一対のサイドファスナ５６（図１７では隠れて見えない。）を利用してサポート本体５と腰パッド６とが連結され、たて前向き抱っこ形態の場合にはセンターファスナ５５のみを利用してサポート本体５と腰パッド６とが連結される。肩ベルト２０からは背側バックル３２のバックル部３２Ａ、３２Ｂが背受け部３１とともに引き出される。脇ベルト２６は、脇ベルトバックル２８を利用してサイドサポート部１２Ａ、１２Ｂと連結される。ヘッドサポート部２１は、ヘッドサポートベルト２２及びヘッドサポートバックル２３を利用して肩ベルト２０と連結される（図７参照）。ホールドカバー４０のトップベルト部４０ａ（裏面側に隠れて見えない。）はホールドバックル４６を利用してサイドサポート部１２Ｂと連結される。サイドファスナ１５（図３参照）は閉じられ、フラップ１７もサイドサポート部１２Ｂ上に固定される。
【００３５】
以上の状態から、たて対面抱っこ形態にて幼児３を支持する手順を以下に説明する。図１８に示すように、腰パッド６をそのパッド本体５０の中央部が前方に位置するようにしてユーザ２の腰部にセットし、腰バックル５２のバックル部５２Ａ、５２Ｂを噛み合わせて腰パッド６をユーザ２に装着する。このとき、腰バックル５２の雄バックル部５２Ａの腰ベルト５１上における位置を変化させて、腰ベルト５１を適切な長さに調整する。次に、背側バックル３２のバックル部３２Ａ、３２Ｂを噛み合わせて背受け部３１を相互に連結する。その後、図１９に示すように、背受け部３２と肩ベルト２０とによって形成された輪をくぐるようにして子守帯１をユーザ２に装着する。このとき、サポート本体５は、そのホールドカバー４０がユーザ２の胸部に接し、センターサポート部１０がユーザ２から見てホールドカバー４０よりも遠方に位置する向きでユーザ２に装着される。図２０に示すように、子守帯１を装着した状態で、左右の肩ベルト２０は上下方向に沿って略平行に延び、かつ、背側バックル３２及び背受け部３１を介して互いに連結されている。背受け部３１が背側バックル３２よりも上下方向に拡張されているので、背側バックル３２と同程度、又は背側バックル３２よりも上下方向の幅が小さいベルト等の連結部材にて肩ベルト２０同士を連結する場合と比較して、ユーザ２の背側における荷重を受ける部分の面積が拡大する。これにより、背側における荷重の分散を図り、ユーザ２の肩への荷重の集中を緩和してユーザ２の負担を軽減することができる。
【００３６】
以上のようにして子守帯１をユーザ２に装着した後は、子守帯１に幼児３を収容する手順に移る。なお、以下の手順は、図２１に示すようにユーザ２が椅子Ｃ等に座って行うことが望ましい。まず、ヘッドサポートバックル２３を外してヘッドサポート部２１と肩ベルト２０との連結を解除する。また、フラップ１７を留めるホック１８を外し、サイドファスナ１５を開く（図３参照）。これにより、センターサポート部１０を前方に折り返すように開く。なお、図２１から明らかなように、ホールドカバー４０は、肩ベルト２０間でユーザ２の胸部に密着するように配置されている。続いて、幼児３をユーザ２と向かい合わせになるようにして抱き上げて子守帯１に乗せる。このとき、図２３にも示すように、センターサポート部１０を前方に開いて落下防止カバー４１とホールドカバー４０との間にスペースＳ１を生じさせ、そのスペースＳ１に幼児３を入れるようにして、幼児３の両足３ａをホールドカバー４０の両側に通す。
【００３７】
これにより、図２２に示すように幼児３の臀部の周囲をホールドカバー４０と落下防止カバー４１との間に収容して、幼児３を確実に支持することができる。つまり、サポート本体５のセンターサポート部１０が前方に大きく開かれた状態であっても、センターサポート部１０とホールドカバー４０とがそれらの下端部において結合されているので、幼児３が下方に落下するおそれがない。その落下防止効果は、落下防止カバー４１とホールドカバー４０との間に幼児３の臀部の周囲を腫瘍することにより、さらに確実に発揮される。しかも、落下防止カバー４１の上端はホールドカバー４０やセンターサポート部１０のそれぞれの上端よりも十分に低いので、センターサポート部１０の上部を大きく開いても落下防止カバー４１の上端はホールドカバー４０から前方に大きく離れることがなく、幼児３の支持効果が損なわれるおそれがない。これらの作用により、幼児３の落下を防止して安全性を高めることができる。また、幼児３を乗せる際には、センターサポート部１０とサイドサポート部１２Ｂとの間が側方に大きく開かれているので、幼児３を高く持ち上げることなく、子守帯１の側方からホールドカバー４０とセンターサポート部１０との間のスペースに容易に収容することができる。
【００３８】
続いて、図２４に示すように、サポート本体５を幼児３の背側に被せるようにして持ち上げ、ヘッドサポートバックル２３を噛み合わせる。さらに、サイドファスナ１５を閉じてサイドサポート部１２Ｂとセンターサポート部１０とを連結する。その後、図２５に示すようにフラップ１７をサイドサポート部１２Ｂに被せてホック１８を嵌め合わせる。以上により、たて対面抱っこ形態における幼児３の支持が完了する。なお、幼児３を降ろす際には、概ね上記と逆の手順に従えばよい。その場合も、サポート本体５を開いたときに落下防止カバー４１が幼児３の臀部を支持しているので、幼児３の落下を防止できる。また、サイドファスナ１５を開くことにより、センターサポート部１０とサイドサポート部１２Ｂとの間をきく開口させて幼児３を子守帯１から容易に取り出すことができる。
【００３９】
次に、図１７の状態からたて前向き抱っこ形態にて幼児３を支持する手順を以下に説明する。なお、子守帯１をたて前向き抱っこ形態にて使用する場合、上述したように、サポート本体５と腰パッド６とは、センターファスナ５５のみを利用して連結される。その状態を図２６に示す。この場合、サイドファスナ５６（図では隠れて見えない。）が分離されているので、サイドサポート部１２Ａ、１２Ｂと腰パッド６のパッド本体５０における連結部５０ｃとの間には隙間Ｓ２が生じる。それらの隙間Ｓ２は、たて前向き抱っこ形態にて、幼児３がその両足をサポート本体５の前方に繰り出すための通路として利用される。さらに、図２７に示すように、連結部５０ｃが下方に折り返されてパッド本体５０の内部に収納される。これにより、隙間Ｓ２が拡大し、幼児３の両足を通すために十分な大きさの隙間Ｓ２を確保することができる。
【００４０】
子守帯１をたて前向き抱っこ形態にて使用する場合、ユーザ２に対する子守帯１の装着は、図１８〜図２０を参照して説明したたて対面抱っこ形態における手順と同様の手順で行えばよい。子守帯１の装着後は、まず、図２８に示すように、ヘッドサポートバックル２３を外すとともに、ホック１８を外してサイドファスナ１５を開き、センターサポート部１０を前方に折り返すようにして開く。続いて、図２９に示すように、幼児３を前向きの姿勢で抱き上げて子守帯１に乗せる。このときも、図２３と同様に、センターサポート部１０を前方に開いて落下防止カバー４１とホールドカバー４０との間にスペースＳ１を生じさせ、そのスペースＳ１に幼児３を入れるようにして、幼児３の両足３ａをホールドカバー４０の両側に通す。これにより、幼児３の臀部の周囲をホールドカバー４０と落下防止カバー４１との間に収容して、幼児３を確実に支持することができる。したがって、サポート本体５のセンターサポート部１０が前方に大きく開かれた状態であっても、幼児３の落下を防止して安全性を高めることができる。また、センターサポート部１０とサイドサポート部１２Ｂとの間が大きく開かれているので、幼児３を子守帯１の側方から収容することができ、幼児３を高く持ち上げる必要はない。さらに、サイドサポート部１２Ａ、１２Ｂと腰パッド６の連結部５０ｃとの間には隙間Ｓ２が開口しているので、その隙間Ｓ２を介して幼児３の両足を子守帯１の前方に繰り出すことが可能となる。そのため、幼児３の足の動きが邪魔されず、幼児３が不自然な姿勢を強いられるおそれがない。
【００４１】
続いて、図３０に示すように、センターサポート部１０を持ち上げて幼児３の胸部に密着させる。さらに、ヘッドサポート部２１を下向きに折り返し、その両端部をヘッドサポートバックル２３によって肩ベルト２０と連結する。さらに、サイドファスナ１５を閉じてサイドサポート部１２Ｂとセンターサポート部１０とを連結し、その後、図３１に示すようにフラップ１７をサイドサポート部１２Ｂに被せてホック１８を嵌め合わせる。以上により、たて前向き抱っこ形態における幼児３の支持が完了する。なお、幼児３を降ろす際には、概ね上記と逆の手順に従えばよい。その場合も、サポート本体５を開いたときに落下防止カバー４１が幼児３の臀部を支持しているので、幼児３の落下を防止できる。また、サイドファスナ１５を開くことにより、センターサポート部１０とサイドサポート部１２Ｂとの間を大きく開口させて幼児３を子守帯１から側方に容易に取り出すことができる。
【００４２】
なお、上記では、子守帯１をユーザ２に装着した後に幼児３を子守帯１に収容する手順を示したが、子守帯１に幼児３を乗せた後に子守帯１をユーザ２に装着することも可能である。例えば、たて対面抱っこ形態において、子守帯１に先に幼児３を乗せた状態を図３２に示す。この場合には、図３２の状態から、腰パッド６をユーザ２に装着し、続いて、背側バックル３２を噛み合わせて肩ベルト２０を互いに連結し、その後、図１９と同様に、背受け部３２と肩ベルト２０とによって形成された輪をくぐるようにして子守帯１をユーザ２に装着すればよい。たて前向き抱っこ形態においても、同様に、幼児３を子守帯１に収容してから子守帯１をユーザ２に装着することも可能である。なお、子守帯１をおんぶ形態にて使用する場合には、図１７の準備形態に対して、背側バックル３２のバックル部３２Ａ、３２Ｂを肩ベルト２０内に収納し、代わりに、フロントベルト３３（図２参照）を引き出す。その状態で、図３２と同様にして子守帯１に幼児３を収容し、幼児３が背側になるようにして子守帯１を背負って肩ベルト２０をユーザ２に装着し、さらに、フロントベルト３３とフロントバックル３４とを利用して、ユーザ２の胸側で肩ベルト２０を相互に連結すればよい。
【００４３】
なお、以上の形態においては、背側バックル３２が背側連結具に相当し、ホールドバックル４６がホールドカバー連結具に相当し、サイドファスナ１５がサイド連結具に相当し、センターファスナ５５が中央連結具に相当し、サイドファスナ５６が側方連結具に相当する。ただし、背側連結具及びホールドカバー連結具には、バックル３２、４６に限らず、連結及び分離が可能な適宜の連結具が用いられてよい。サイド連結具については、ファスナに限らず、連結及び分離が可能な適宜の連結具が用いられてよい。例えば、サイドファス１５に代えて、ボタン、面ファスナ等をサイド連結具として用いることができる。中央連結具及び側方連結具についても同様である。
【００４４】
本発明は上述した形態に限定されることなく、種々の変更が可能である。例えば、上記の形態ではサイドサポート部１２Ａ、１２Ｂと肩ベルト２０とが分離不能に結合されているが、サイドサポート部１２Ａ、１２Ｂは肩ベルト２０に対してバックルその他の連結具を利用して肩ベルト２０に対して分離可能な状態で結合されてもよい。ホールドカバー４０のトップベルト部４０ａの端部４０ｂはサイドサポート部１２Ａと分離不能に結合されているが、反対側の端部４０ｃと同様にホールドバックル４６等の連結具を利用して、端部４０ｂをサイドサポート部１２Ａと分離可能な状態で結合してもよい。その場合でも、幼児３を出し入れする際に、端部４０ｂをサイドサポート部１２Ａと結合し、端部４０ｃをサイドサポート部１２Ｂから分離すればよい。あるいは、サイドサポート部１２Ａとセンターサポート部１０との間にもスリット１６及びサイドファスナ１５を設けるとともに、トップベルト４０ａの両端部４０ａ、４０ｂをバックル４６によりサイドサポート部１２と連結し、それにより、幼児３を出し入れする際にサイドサポート部１２Ａ又は１２Ｂを択一的にセンターサポート部１０に対して開くようにしてもよい。  
【００４５】
背受け部３１は、一端部が肩ベルト２０と分離不能に結合され、他端部に背側バックル３２が取り付けられる形態に限らず、適宜の変更が可能である。例えば、図３３に示すように、肩ベルト２０の一部を左右方向中心側に膨らむように拡張部３１Ａを形成してそれらの先端にバックル３２を装着し、それにより、拡張部３１Ａを背受け部として機能させてもよい。あるいは、図３４に示したように、背側バックル３２のバックル部３２Ａ、３２Ｂを上下方向の幅が小さい連結ベルト６０にて肩ベルト２０と連結するとともに、それらの連結ベルト６０の途中にバックル部３２Ａ、３２Ｂよりも上下方向に拡張された別部品としての背受けパッド６１を装着し、それらの背受けパッド６１を背受け部として機能させてもよい。なお、図３４に想像線で示したように、左右の背受けパッド６１をさらに一体化して肩ベルト２０の間に単一の背受けパッド６１が背受け部として設けられてもよい。
【００４６】
本発明の子守帯は、ユーザとサポート本体との間のスペースに、幼児をたて抱っこ形態にて収容できるものであれば足り、よこ抱っこ形態、あるいはおんぶ形態における使用は不可能であってもよい。
【符号の説明】
【００４７】
１  子守帯
２  ユーザ
３  幼児
５  サポート本体
６  腰パッド
１０  センターサポート部
１２Ａ、１２Ｂ  サイドサポート部
１５  サイドファスナ（サイド連結具）
１６  スリット
２０  肩ベルト
２１  ヘッドサポート部
２２  ヘッドサポートベルト
２３  ヘッドサポートバックル
２４  ヘッドサポートカバー
２６  脇ベルト
２８  脇ベルトバックル
３１  背受け部
３１Ａ  拡張部（背受け部）
３２  背側バックル（背側連結具）
４０  ホールドカバー
４０ａ  トップベルト部
４１  落下防止カバー
４６  ホールドバックル（ホールドカバー連結具）
５０  パッド本体
５０ｃ  連結部
５５  センターファスナ（中央連結具）
５６  サイドファスナ（側方連結具）
６０  連結ベルト
６１  背受けパッド（背受け部）
Ｓ２  サポート本体と腰パッドとの間の隙間
【図１】
0005848575.tif 000002
【図２】
0005848575.tif 000003
【図３】
0005848575.tif 000004
【図４】
0005848575.tif 000005
【図５】
0005848575.tif 000006
【図６】
0005848575.tif 000007
【図７】
0005848575.tif 000008
【図８】
0005848575.tif 000009
【図９】
0005848575.tif 000010
【図１０】
0005848575.tif 000011
【図１１】
0005848575.tif 000012
【図１２】
0005848575.tif 000013
【図１３】
0005848575.tif 000014
【図１４】
0005848575.tif 000015
【図１５】
0005848575.tif 000016
【図１６】
0005848575.tif 000017
【図１７】
0005848575.tif 000018
【図１８】
0005848575.tif 000019
【図１９】
0005848575.tif 000020
【図２０】
0005848575.tif 000021
【図２１】
0005848575.tif 000022
【図２２】
0005848575.tif 000023
【図２３】
0005848575.tif 000024
【図２４】
0005848575.tif 000025
【図２５】
0005848575.tif 000026
【図２６】
0005848575.tif 000027
【図２７】
0005848575.tif 000028
【図２８】
0005848575.tif 000029
【図２９】
0005848575.tif 000030
【図３０】
0005848575.tif 000031
【図３１】
0005848575.tif 000032
【図３２】
0005848575.tif 000033
【図３３】
0005848575.tif 000034
【図３４】
0005848575.tif 000035